(57)【特許請求の範囲】
【請求項１】
被施療者の腰掛ける座部の左右に肘置部を具えた椅子型マッサージ機において、
肘置部の上面に形成された凹部と、非使用時には前記凹部に収納され、使用時には肘置部から臨出して、被施療者の腕部をマッサージすることのできるマッサージ手段と、マッサージ手段を前記凹部に上下動可能に支持するスライド機構と、マッサージ手段を凹部から臨出するよう上向きに付勢する付勢手段と、マッサージ手段を凹部に収納したときに、マッサージ手段が臨出しないように係止するロック手段とを具え、
マッサージ手段は、前記凹部への収納時に、肘置部の上面と連続するようにして、肘置部より臨出しないようにしたことを特徴とする椅子型マッサージ機。
【発明の詳細な説明】
【技術分野】
【０００１】
本発明は、被施療者が腰掛けた状態で、腕部をマッサージすることのできる椅子型マッサージ機に関するものであり、より具体的には、腕部をマッサージするマッサージ手段を非使用時には肘置部に収納することのできる椅子型マッサージ機に関するものである。
【背景技術】
【０００２】
被施療者の腰掛ける座部の左右に設けられた肘置部に、マッサージ手段を配備し、被施療者の腕部をマッサージできるようにした椅子型マッサージ機が提案されている(例えば、特許文献１、特許文献２参照)。
これら椅子型マッサージ機では、マッサージ手段は肘置部上に取り付けられており、マッサージ手段の対向する凹みに施療手段を配備し、凹みに腕部を挿入して、腕部のマッサージを受けることができる。
【０００３】
【特許文献１】特開２００３−１８０７７４号公報
【特許文献２】特開２００３−３１０６８３号公報
【発明の開示】
【発明が解決しようとする課題】
【０００４】
椅子型マッサージ機は、マッサージ機として使用しない場合には、通常の椅子として使用できることが望まれる。しかしながら、上記椅子型マッサージ機では、腕部のマッサージ手段は、肘置部の上に取り付けられているため、通常の椅子として使用するにはマッサージ手段が邪魔になることがあった。
【０００５】
本発明の目的は、腕部をマッサージするマッサージ手段を、非使用時には、肘置部に収納することのできる椅子型マッサージ機を提供することである。
【課題を解決するための手段】
【０００６】
上記課題を解決するために本発明の椅子型マッサージ機は、
被施療者の腰掛ける座部の左右に肘置部を具えた椅子型マッサージ機において、
肘置部の上面に形成された凹部と、非使用時には前記凹部に収納され、使用時には肘置部から臨出して、被施療者の腕部をマッサージすることのできるマッサージ手段と、マッサージ手段を前記凹部に上下動可能に支持するスライド機構と、マッサージ手段を凹部から臨出するよう上向きに付勢する付勢手段と、マッサージ手段を凹部に収納したときに、マッサージ手段が臨出しないように係止するロック手段とを具え、
マッサージ手段は、前記凹部への収納時に、肘置部の上面と連続するようにして、肘置部より臨出しないようにした。
【発明の効果】
【０００７】
本発明の椅子型マッサージ機は、被施療者の腕部をマッサージするマッサージ手段を、肘置部上面に形成された凹部より、出没可能としたことにより、肘置部からマッサージ手段を臨出させて使用することができ、非使用時には、凹部の内部にマッサージ手段を収納して、肘置部の上面と連続するようにしたので、通常の椅子として使用することができる利点がある。
【発明を実施するための最良の形態】
【０００８】
＜第１実施例＞
図１は、本発明の椅子型マッサージ機(10)の第１実施例を示す斜視図である。図に示すように、椅子型マッサージ機(10)は、被施療者の腰掛ける座部(12)と、該座部(12)の後端に配備された背凭れ(14)、座部(12)の左右に設けられた肘置部(20)(20)、座部(12)の前端に配備された足用マッサージユニット(16)とを具えた構成を例示できる。
【０００９】
背凭れ(14)及び足用マッサージユニット(16)は、座部(12)に対して傾動可能且つ位置決め可能に配備され、座部(12)、背凭れ(14)及び足用マッサージユニット(16)には、必要に応じて施療指やエアバッグ等のマッサージ機構が配備される。
【００１０】
図１に示すように、肘置部(20)(20)には、被施療者の腕部をマッサージするマッサージ手段(40)が配備される。マッサージ手段(40)は、肘置部(20)(20)に形成された凹部(22)(22)(図２及び図４参照)から出没可能となっている。
図１では、マッサージ機(10)を前方から見て、左側のマッサージ手段(40)を肘置部(20)から臨出させた状態、右側のマッサージ手段(40)を肘置部(20)に収納した状態を示している。以下、左右の方向は、マッサージ機(10)を前方から見た方向をいう。
【００１１】
図２及び図３は、マッサージ手段(40)を収納した状態の左側肘置部(20)の側面図、正面図を示している。また、図４は、図２の線Ａ−Ａに沿う断面図を示している。
図１乃至図４に示すように、肘置部(20)は、被施療者が腰掛けた状態で腕部を載せる台である。なお、本発明では、特に明示しない限り、腕部とは、下腕、即ち、手首から肘に係る部分を意味する。
図示の肘置部(20)は、上面が湾曲しており、被施療者の腕部が当たる部分にクッション(24)が配置されている。
肘置部(20)には、図２及び図４に示すように、上面の略中央から前方の部分に、凹部(22)が形成されている。該凹部(22)は、略箱形であり、凹部(22)には、腕部をマッサージするマッサージ手段(40)が収納されている。
【００１２】
マッサージ手段(40)は、図１及び図４に示すように、座部(12)側に腕部を挿入する凹み(42)を有し、前記凹部(22)から出没可能となっている。マッサージ手段(40)の上部は、収納時に肘置部(20)の上面と連続するクッションを有し、上側面には、鍔(44)が形成されている。
凹み(42)には、エアバッグ等の施療手段(90)(90)が配備される。
【００１３】
マッサージ手段(40)は、図２及び図４に示すように、肘置部(20)の内部に配備されたスライド機構(50)によって、肘置部(20)から出没可能となっている。スライド機構(50)は、マッサージ手段(40)の下面に連結されたスライド棒(52)と、該スライド棒(52)を上向きに付勢するコイルバネ等の付勢手段(54)とを具え、スライド棒(52)及び付勢手段(54)は、肘置部(20)に縦向きに形成されたガイド(56)に内装されている。
【００１４】
マッサージ手段(40)を付勢手段(54)の付勢力に抗して下向きに押し込むと、図２乃至図４に示すように、マッサージ手段(40)は、凹部(22)に収納される。このとき、図５に示すように、付勢手段(54)は縮んだ状態となる。
マッサージ手段(40)を凹部(22)に収容した状態で保持するために、図１、図２及び図４に示すように、肘置部(20)の側面には、ロック手段(60)が配備されている。ロック手段(60)は、図６に示すように、肘置部(20)の側面に形成された孔(61)に、図６及び図７に示すロック部材(62)を軸支(63)したものであり、ロック部材(62)の先端に形成された爪片(66)がマッサージ手段(40)の側面に形成されたロック用穴(64)に嵌まって、マッサージ手段(40)を凹部(22)内で係止するようにしている。爪片(66)は、トーションバネ等の付勢部材(図示せず)により、図６の矢印Ｆ方向に付勢しておくことが望ましい。
【００１５】
ロック手段(60)は、外面側に被施療者が掴む摘み部(65)が形成されており、被施療者が、腕部のマッサージを受ける際に、該摘み部(65)を掴んで外側に引っ張ると、ロック部材(62)が外向きに揺動し、爪片(66)がロック用穴(64)から外れ、付勢手段(54)が伸びて、マッサージ手段(40)が凹部(22)から臨出する(図８乃至図１０参照)。
【００１６】
図８及び図９は、マッサージ手段(40)が凹部(22)から臨出した状態を示している。また、図１０は、スライド機構(50)の付勢手段(54)が伸びた状態を示している。
図に示すように、マッサージ手段(40)が肘置部(20)から臨出した状態で、被施療者は、腕部をマッサージ手段(40)の凹み(42)に挿入し、エアバッグ等の施療手段(90)を作動させ、腕部のマッサージを受けることができる。
【００１７】
腕部マッサージ終了後、マッサージ手段(40)の上面を下向きに押し付けることで、上述の図４及び図５に示すように、付勢手段(54)が縮んで、凹部(22)内にマッサージ手段(40)が収容される。このとき、ロック部材(62)は、マッサージ手段(40)の下面に押されて一旦外側に押し出されるが、付勢部材により矢印Ｆ方向に付勢されているから、マッサージ手段(40)のロック用穴(64)と合致すると、爪片(66)がロック用穴(64)に嵌まって、マッサージ手段(40)を凹部(22)内で係止することができる。
【００１８】
上記実施例によれば、マッサージ手段(40)を肘置部(20)から臨出させることで、マッサージ手段(40)による腕部のマッサージを受けることができ、非使用時には肘置部(20)に収納できるから、通常の椅子として使用した場合でもマッサージ手段(40)が邪魔にはならない。
【００１９】
＜第２実施例＞
図１１乃至図１７は、本発明ではないが、参考例としての第２実施例を示している。
椅子型マッサージ機(10)の基本構成については、上記第１実施例と同様であるため、説明を省略する。
図１１に示すように、椅子型マッサージ機(10)の肘置部(20)には、マッサージ手段(40)が配備される。図１１では、マッサージ機(10)を前方から見て、左側のマッサージ手段(40)を肘置部(20)上に取り付けた状態、右側のマッサージ手段(40)を肘置部(20)に収納した状態を示している。また、図１２は、マッサージ手段(40)を肘置部(20)から臨出させた状態を示す左側肘置部(20)の内側面図、図１３は、図１２の線Ｃ−Ｃに沿う断面図である。
【００２０】
本実施例では、マッサージ手段(40)は、非使用時には、肘置部(20)に形成された凹部(22)に収納し、使用時に、凹部(22)から図１５乃至図１７に示す要領で、マッサージ手段(40)を凹部(22)から取り外し、上下の向きを変えて、肘置部(20)上に取り付けるようにしている。
【００２１】
具体的には、図１３に示すように、肘置部(20)には、マッサージ手段(40)を収容する凹部(22)が形成されている。凹部(22)には、図１４に示すように、内側に施療手段(90)(90)であるエアバッグに圧縮空気を送給するためのホース接続口(80)が突設されており、該ホース接続口(80)は、配管(85)とホース(83)を介して、マッサージ機(10)の適所に配置されたエアポンプ(図示せず)に連繋されている。
【００２２】
マッサージ手段(40)は、凹部(22)に収容した状態で、肘置部(20)の上面と連続するクッションを有し、上側面には、鍔(44)が形成されており、下側となる部分に、被施療者の腕部を挿入する凹み(42)が形成されており、該凹み(42)には、エアバッグ等の施療手段(90)(90)が配置されている。
また、鍔(44)には、前記ホース接続口(80)に対応した位置に、夫々上下に接続口収容穴(81)(81a)が開設されており、マッサージ手段(40)を凹部(22)に収容した状態で上側に露出する接続口収容穴(81)には、施療手段(90)(90)となるエアバッグに圧縮空気を送給するための配管(84)及びホース(82)が接続されている。ホース(82)の他端は、エアバッグに連通している。
【００２３】
上記構成のマッサージ手段(40)は、凹部(22)に収納された状態から、図１５に示すように、マッサージ手段(40)を取り出し、図１６に示すように、マッサージ手段(40)の凹み(42)が鍔(44)よりも上側となり、且つ、凹み(42)が内側となるように、上下入れ替えて、鍔(44)の接続口収容穴(81)が、図１４に示すように、凹部(22)のホース接続口(80)に繋がるように、凹部(22)に載置する。
これによって、マッサージ手段(40)は、肘置部(20)の上側に凹み(42)が内向きに臨出し、施療手段(90)(90)となるエアバッグがホース(82)、配管(84)及びホース接続口(80)を介して、エアポンプに接続される。
被施療者は、座部(12)に腰掛けた状態で、マッサージ手段(40)の凹み(42)に腕部を挿入し、エアバッグによるマッサージを受けることができる。
【００２４】
また、図１６に示す状態から、マッサージ手段(40)を上側に引っ張り、図１７に示すように、凹み(42)が鍔(44)よりも下側となり、且つ、凹み(42)が内側となるように、上下入れ替えて、マッサージ手段(40)を凹部(22)に収容すると、鍔(44)の接続口収容穴(81a)(ホース(82)に接続されていない)が、ホース接続口(80)に嵌まり、マッサージ手段(40)が凹部(22)に収容され、肘置部(20)から突出せず、足置部(20)から臨出しないよう保持(ロック)される。
【００２５】
上記実施例によれば、マッサージ手段(40)を肘置部(20)の凹部(22)から一旦取り出して、上下を逆にして付け替えることで、マッサージ手段(40)による腕部のマッサージを受けることができ、非使用時には肘置部(20)に収納できるから、通常の椅子として使用した場合でもマッサージ手段(40)が邪魔にはならない。
【００２６】
＜第３実施例＞
図１８乃至図２５は、本発明ではないが、参考例としての第３実施例を示している。
本実施例は、肘置部(20)の長手方向に垂直な面内でマッサージ手段(40)を回動可能に支持することで、マッサージ手段(40)を肘置部(20)から出没可能としたものである。即ち、図１８乃至図２１に示すように、肘置部(20)の長手方向に平行な軸(46)にマッサージ手段(40)を支持し、回動可能としている。
なお、上記第１実施例、第２実施例と同じ構成については説明を省略する。
【００２７】
肘置部(20)には、マッサージ手段(40)を収容する凹部(22)が開設されている。該凹部(22)は、左右の側面が貫通しており、凹部(22)の外側の上端には、マッサージ手段(40)を支持するための軸受(26)が凹設されている(図１９及び図２２参照)。
【００２８】
マッサージ手段(40)は、上記凹部(22)の軸受(26)に回動可能に軸支される。マッサージ手段(40)は、図１８に示すように、肘置部(20)に収納した状態で、肘置部(20)の上面と連続するよう形成されており、肘置部(20)に対して、図１８に示すように、マッサージ手段(40)を回動させると、マッサージ手段(40)が肘置部(20)から臨出する。マッサージ手段(40)には、肘置部(20)上に臨出した状態で、座部(12)側に腕部を挿入する凹み(42)を有している。該凹み(42)には、エアバッグ等の施療手段(90)(90)が配備される。
【００２９】
マッサージ手段(40)は、図２２に示すように、凹部(22)に形成された軸受(26)(26)に嵌まる支持軸(46)(46)が突設されている。一方の支持軸(46)は、内部が中空であり、マッサージ手段(40)の施療手段(90)(90)であるエアバッグに圧縮空気を送給する配管(84)を兼ねている。
支持軸(46)の配管(84)は、マッサージ手段(40)側で、施療手段(90)(90)であるエアバッグと連通するホース(82)に接続されており、肘置部(20)側で、エアポンプと連通するホース(83)に接続されている。
【００３０】
上記構成のマッサージ手段(40)は、支持軸(46)(46)を凹部(22)の軸受(26)(26)に嵌めることで、肘置部(20)の長手方向に垂直な面内で回動可能となっている。
マッサージ手段(40)を肘置部(20)に対して、位置決め可能とすることで、被施療者が腕部をマッサージ手段(40)の凹み(42)に挿入したときの安定性を高めることができ、非使用時にマッサージ手段(40)がぐらつくこともなくなる。
このため、図２３乃至図２５に示すように、マッサージ手段(40)を凹部(22)に対して位置決め可能とするロック手段(60)を配備している。
ロック手段(60)は、図２３に示すように、肘置部(20)の凹部(22)に形成されたロック孔(72)(73)と、マッサージ手段(40)に具備されたロックピン(70)から構成することができる。
【００３１】
ロック孔(72)(73)は、前記支持軸(46)から等距離の位置、即ち、図２３に一点鎖線で示す仮想円Ｒ上に形成される。例えば、図２３では、合計５つのロック孔(72)(73)を形成しており、一つは、凹部(22)の底面側に近い位置で、マッサージ手段(40)を収納したときに、マッサージ手段(40)がぐらつかないようにするためのロック孔(73)である。また、凹部(22)の上面側に近い位置に設けられた複数のロック孔(72)は、マッサージ手段(40)を肘置部(20)上で角度調整可能に固定するものである。
【００３２】
ロック孔(72)(73)に嵌まるロックピン(70)は、図２４及び図２５に示すように、マッサージ手段(40)に形成された保持筒(75)の内部に収容される。ロックピン(70)は、先端上面が傾斜しており、長手方向に長孔(74)が開設されている。長孔(74)には、保持筒(75)に突設された支持ピン(76)が嵌まることで、ロックピン(70)は、保持筒(75)の長手方向にスライド可能となっている。
ロックピン(70)は、バネ等の付勢部材(77)によって、保持筒(75)から飛び出す方向に付勢されている。
【００３３】
被施療者が、マッサージ手段(40)を図２３の矢印Ｐ方向に回転させると、図２４に示すように、ロック孔(72)に対して係合状態にあったロックピン(70)が、図２５に示すように、ロック孔(72)の壁面に当たって保持筒(75)内に後退する。マッサージ手段(40)をさらに回転させると、ロックピン(70)が次のロック孔(72)に嵌まって、マッサージ手段(40)が固定される。
図２３の矢印Ｐ方向とは逆の方向に回転させても、ロックピン(70)はロック孔(72)に嵌まったまま係合を解くことはできないから、マッサージ手段(40)に腕部を挿入した状態で、腕部の重みが凹み(42)に作用しても、マッサージ手段(40)が回転してしまうことはない。
【００３４】
マッサージ手段(40)を肘置部(20)に収納する場合には、さらにマッサージ手段(40)を図２３の矢印Ｐ方向に回転させて、肘置部(20)の凹部(22)の位置まで回転させることで、凹部(22)の底側に設けられたロック孔(73)とロックピン(70)が係合するから、マッサージ手段(40)が肘置部(20)内でぐらつくことはない。
【００３５】
上記実施例によれば、マッサージ手段(40)を肘置部(20)から臨出させることで、マッサージ手段(40)による腕部のマッサージを受けることができ、非使用時には肘置部(20)に収納できるから、通常の椅子として使用した場合でもマッサージ手段(40)が邪魔にはならない。
【００３６】
なお、マッサージ手段(40)の軸支位置を凹部(22)の上端中央部に変えることで、図２６に示すように、マッサージ手段(40)の凹み(42)が上向きとなる位置で、マッサージを受ける構成とすることもできる。
【００３７】
＜第４実施例＞
図２７乃至図３２は、本発明ではないが、参考例としての第４実施例を示している。
椅子型マッサージ機(10)の基本構成については、上記実施例と同様であるため、説明を省略する。
図２７に示すように、椅子型マッサージ機(10)の肘置部(20)には、マッサージ手段(40)が配備される。図２７では、マッサージ機(10)を前方から見て、左側のマッサージ手段(40)を肘置部(20)上に臨出させた状態、右側のマッサージ手段(40)を肘置部(20)に収納した状態を示している。
【００３８】
本実施例では、肘置部(20)の長手方向に沿う面内でマッサージ手段(40)を回動可能に支持することで、マッサージ手段(40)を肘置部(20)から出没可能としたものである。即ち、肘置部(20)の長手方向に垂直な軸(47)にマッサージ手段(40)を支持し、回動可能としている。
【００３９】
図２８乃至図３０に示すように、肘置部(20)には、マッサージ手段(40)を収容する凹部(22)が形成されている。凹部(22)は、半円状断面を有しており、図２９及び図３２に示すように、一端に施療手段(90)(90)であるエアバッグに圧縮空気を送給するためのホース接続口(80)(80)が下向きに開口されている。該ホース接続口(80)(80)は、マッサージ機(10)の適所に配置されたエアポンプ(図示せず)にホース(83)を介して連繋されている。
【００４０】
マッサージ手段(40)は、図２７、図２９及び図３１に示すように、凹部(22)の形状に沿った半円柱状であり、曲面の略中央に、長手方向に凹み(42)が形成されている。マッサージ手段(40)は、凹部(22)に軸支(47)されて、凹部(22)に対して図２９の矢印方向に略１８０度回転可能となっている。
【００４１】
マッサージ手段(40)の凹み(42)には、エアバッグ等の施療手段(90)(90)が配置されている。エアバッグへの圧縮空気の送給は、マッサージ手段(40)を凹部(22)に対して回転させ、図２９に示すように、凹み(42)が上面に臨出した状態で、前記凹部(22)に設けられたホース接続口(80)と接続可能となるように配管(84)が突設されている。配管(84)は、図３１及び図３２に示すように、先端が上向きに屈曲しており、基端側がホース(82)に接続され、ホース(82)の他端は、エアバッグに連通している。
【００４２】
上記構成のマッサージ手段(40)において、使用時には、被施療者が、マッサージ手段(40)を図２８及び図２９に示すように、凹み(42)が上向きとなるように回転させ(図２９の矢印方向)、配管(84)をホース接続口(80)と接続することでマッサージ手段(40)が固定される。
この状態で、腕部を凹み(42)に挿入し、施療手段(90)(90)を作動させることでマッサージを受けることができる。
【００４３】
マッサージ終了後、通常の椅子として使用する場合には、マッサージ手段(40)を図２９の矢印とは逆方向に回転させて、配管(84)とホース接続口(80)との接続を解き、マッサージ手段(40)を肘置部(20)に収納し、肘置部(20)より臨出しないように保持(ロック)できるから、マッサージ手段(40)が邪魔にはならない。
【００４４】
＜第５実施例＞
図３３乃至図３８は、本発明ではないが、参考例としての第５実施例を示している。
椅子型マッサージ機(10)の基本構成については、上記実施例と同様であるため、説明を省略する。
図３３乃至図３６に示すように、本実施例では、椅子型マッサージ機(10)の肘置部(20)を基台(18)に対して傾動可能に配置し、肘置部(20)の内側に図３７に示すようなマッサージ手段(40)を配置したものである。マッサージ手段(40)は、エアバッグ等の施療手段(90)を具備している。
図３３及び図３４は、肘置部(20)を倒した状態の椅子型マッサージ機(10)の斜視図、図３５及び図３６は、前方から見て左側の肘置部(20)を起立させた状態の椅子型マッサージ機(10)の斜視図である。
【００４５】
肘置部(20)は、図３７及び図３８に示すように、基台(18)に形成された軸受(27)に嵌まる軸(48)が突設されている。軸(48)は、軸受(27)に対して回転可能且つ肘置部(20)を任意の角度で位置決め可能となるように、少し堅めに嵌まっている。
また、図３７に示すように、該軸(48)の中央には、図３８に示すように、エアバッグにホース(82)を介して圧縮空気を送給する配管(84)が形成されている。配管(84)は、基台(18)に設けた配管(83)を介して図示しないエアポンプに接続される。
【００４６】
図３５及び図３６に示すように、被施療者が、肘置部(20)を基台(18)に対して回動させることで、肘置部(20)の内面側に設けられた施療手段(90)が被施療者の腕部、例えば、手首から肘までの間(下腕部)や、上腕部、肩近傍をマッサージすることができる。
【００４７】
マッサージ終了後は、肘置部(20)を倒すことで、通常の椅子として使用することができる。
【産業上の利用可能性】
【００４８】
本発明は、腕部のマッサージ手段を非使用時には肘置部に収納することのできる椅子型マッサージ機として有用である。
【図面の簡単な説明】
【００４９】
【図１】本発明の第１実施例を示す椅子型マッサージ機の斜視図である。
【図２】肘置部の側面図である。
【図３】肘置部の正面図である。
【図４】図２の線Ａ−Ａに沿う断面図である。
【図５】図４の下円部の拡大図であって、マッサージ手段が収納された状態におけるスライド機構を示している。
【図６】図４の上円部の拡大図であって、ロック手段の断面図である。
【図７】ロック部材の斜視図である。
【図８】マッサージ手段が臨出した状態を示す側面図である。
【図９】図８の線Ｂ−Ｂに沿う断面図である。
【図１０】図９の円部の拡大図であって、マッサージ手段が臨出した状態におけるスライド機構を示している。
【図１１】参考例としての第２実施例を示す斜視図である。
【図１２】同実施例のマッサージ手段を臨出させた状態の肘置部を内側から見た側面図である。
【図１３】図１２の線Ｃ−Ｃに沿う断面図である。
【図１４】図１３の円部で示すホース接続部分の拡大断面図である。
【図１５】肘置部からマッサージ手段を取り外した状態を示す斜視図である。
【図１６】マッサージ手段を肘置部上に取り付ける状態を示す斜視図である。
【図１７】マッサージ手段を肘置部に収納する状態を示す斜視図である。
【図１８】参考例としての第３実施例を示す椅子型マッサージ機の斜視図である。
【図１９】同実施例のマッサージ手段を収納した状態の肘置部の縦断面図である。
【図２０】同実施例のマッサージ手段を臨出させた状態の肘置部の縦断面図である。
【図２１】同実施例のマッサージ手段を臨出させた状態の肘置部の正面図である。
【図２２】図２０に円部で示すホース接続部分の拡大断面図である。
【図２３】マッサージ手段の回動を示す拡大図である。
【図２４】ロック手段の係合状態を示す拡大断面図である。
【図２５】ロック部材がロック孔から押し出された状態を示す拡大断面図である。
【図２６】第３実施例の異なる実施例を示す斜視図である。
【図２７】参考例としての第４実施例を示す椅子型マッサージ機の斜視図である。
【図２８】同実施例のマッサージ手段を臨出させた状態を示す肘置部の正面図である。
【図２９】図２８の線Ｄ−Ｄに沿う断面図である。
【図３０】マッサージ手段を取り外した肘置部の斜視図である。
【図３１】マッサージ手段の斜視図である。
【図３２】図２９に円部で示すホース接続部分の拡大断面図である。
【図３３】参考例としての第５実施例を示す椅子型マッサージ機の斜視図である。
【図３４】参考例としての第５実施例を示す椅子型マッサージ機の斜視図である。
【図３５】参考例としての第５実施例を示す椅子型マッサージ機の斜視図であって、肘置部を起立させた状態を示している。
【図３６】参考例としての第５実施例を示す椅子型マッサージ機の斜視図であって、肘置部を起立させた状態を示している。
【図３７】肘置部の斜視図である。
【図３８】ホース接続部分の拡大断面図である。
【符号の説明】
【００５０】
(10)  椅子型マッサージ機
(12)  座部
(20)  肘置部
(22)  凹部
(40)  マッサージ手段
(42)  凹み
(90)  施療手段
【図１】
0004804195.tif 000002
【図２】
0004804195.tif 000003
【図３】
0004804195.tif 000004
【図４】
0004804195.tif 000005
【図５】
0004804195.tif 000006
【図６】
0004804195.tif 000007
【図７】
0004804195.tif 000008
【図８】
0004804195.tif 000009
【図９】
0004804195.tif 000010
【図１０】
0004804195.tif 000011
【図１１】
0004804195.tif 000012
【図１２】
0004804195.tif 000013
【図１３】
0004804195.tif 000014
【図１４】
0004804195.tif 000015
【図１５】
0004804195.tif 000016
【図１６】
0004804195.tif 000017
【図１７】
0004804195.tif 000018
【図１８】
0004804195.tif 000019
【図１９】
0004804195.tif 000020
【図２０】
0004804195.tif 000021
【図２１】
0004804195.tif 000022
【図２２】
0004804195.tif 000023
【図２３】
0004804195.tif 000024
【図２４】
0004804195.tif 000025
【図２５】
0004804195.tif 000026
【図２６】
0004804195.tif 000027
【図２７】
0004804195.tif 000028
【図２８】
0004804195.tif 000029
【図２９】
0004804195.tif 000030
【図３０】
0004804195.tif 000031
【図３１】
0004804195.tif 000032
【図３２】
0004804195.tif 000033
【図３３】
0004804195.tif 000034
【図３４】
0004804195.tif 000035
【図３５】
0004804195.tif 000036
【図３６】
0004804195.tif 000037
【図３７】
0004804195.tif 000038
【図３８】
0004804195.tif 000039